(57)【要約】【課題】採苗工程において水槽中で簡便に位置がえができる作業性の良い垂下連を提供することを目的とする。【解決手段】  棒体１０１と、棒体１０１に挿通した扁平な複数のコレクタ１０４と、を有する、牡蠣その他の貝の幼生を育成する際に用いる垂下連１００であって、重心と浮力の作用点をずらすことにより、水中または海水中において鉛直方向に自立するようにしたことを特徴とする垂下連１００。【選択図】図２
2014082982.tif 000002
【特許請求の範囲】
【請求項１】
棒体と、
棒体に挿通した扁平な複数のコレクタと、
を有する、牡蠣その他の貝の幼生を育成する際に用いる垂下連であって、
重心と浮力の作用点をずらすことにより、水中または海水中において鉛直方向に自立するようにしたことを特徴とする垂下連。
【請求項２】
棒体を一端に重心が偏在した密閉中空管体とすることにより、鉛直方向に自立するようにしたことを特徴とする請求項１に記載の垂下連。
【請求項３】
棒体を密閉中空管体として管内部を移動する錘体を備え、鉛直方向に自立するようにしたことを特徴とする請求項２に記載の垂下連。
【請求項４】
棒体の一端に浮力体を備えることにより、鉛直方向に自立するようにしたことを特徴とする請求項１に記載の垂下連。
【請求項５】
浮力体が着脱可能であり、棒体のいずれの端部にも装着可能としたことを特徴とする請求項４に記載の垂下連。
【請求項６】
棒体を両端が開放された水または海水より比重の大きな中空管体として管内部を移動する錘体を備え、コレクタを水または海水より比重の小さな素材により形成し、鉛直方向に自立するようにしたことを特徴とする請求項１に記載の垂下連。
【発明の詳細な説明】
【技術分野】
【０００１】
本発明は、岩牡蠣等の養殖に用いる垂下連に関し、特に、幼生を均等に付着させ作業効率を高めることが可能な垂下連に関する。
【背景技術】
【０００２】
従来、真牡蠣や岩牡蠣といった岩場等に着床して成長する貝を養殖するに際しては、最初に採苗をおこなう。これは、例えば、１０００リットル程度の水槽中で卵をふ化させ、浮遊期を経た後、コレクタ（採苗器）に付着させる。
【０００３】
コレクタは、ホタテの貝殻中心に孔をあけたものや、中心に孔をあけたエラストマー製の円板体などにより構成され、多数枚が所定間隔をあけてロープに挿通された垂下連として水槽の上から吊るされる。
【０００４】
ここで、採苗において最も重要なことは、コレクタに均一に幼生が付着するようにすることであるが、垂下連が数十本吊り下げられた水槽では、実際には、水流、餌、酸素濃度、日照度等により、ムラが生じてしまい、１００個以上付着するコレクタもあれば、数個しか付着しないコレクタも存在する。
【０００５】
従って、従来では、垂下連の垂下位置をかえる吊りかえを適宜行い、また、可能であれば天地返しもおこなって、幼生が一様付着するようにしていた。一様付着とすることにより、個々の幼生の均質な成長、その後の養殖工程における作業性を向上させることが可能となる。
【０００６】
しかしながら、従来の技術では以下の問題点があった。
垂下連は、水槽の上縁に渡した竿から吊り下げる態様が一般的であり、竿自体も複数本渡してあるため、数十本の垂下連を一本一本吊りかえている途中に、どれを位置がえしたかわからなくなり、作業効率が悪いという問題点があった。また、垂下連一本の長さは数ｋｇであるものの、水槽横から手を伸ばし、抵抗の大きな水からの引上げ作業であるので、大変な重労働となるという問題点があった。また、竿にロープを結わえる作業も繁雑であるという問題点があった。
【先行技術文献】
【特許文献】
【０００７】
【特許文献１】特開２００８−１５４４６６号公報
【特許文献２】特開２００７−３９号公報
【発明の概要】
【発明が解決しようとする課題】
【０００８】
本発明は上記に鑑みてなされたものであって、採苗工程において水槽中で簡便に位置がえができる作業性の良い垂下連を提供することを目的とする。
【課題を解決するための手段】
【０００９】
請求項１に記載の垂下連は、棒体と、棒体に挿通した扁平な複数のコレクタと、を有する、牡蠣その他の貝の幼生を育成する際に用いる垂下連であって、重心と浮力の作用点をずらすことにより、水中または海水中において鉛直方向に自立するようにしたことを特徴とする。
【００１０】
すなわち、請求項１にかかる発明は、上から吊るさず自立した構成とするため、採苗工程において水槽中で簡便な位置がえを可能とする作業性の良い垂下連を提供することができる。なお、浮力も作用して自立する構成であるため、水中または海水中では重さが事実上小さくなり、作業性がこの点からも高まる。
【００１１】
棒体とは、長手の部材でコレクタを挿通配置するものであれば、特に限定されない。例えば、円柱、円筒、角柱、各筒などを挙げることができる。また、端部には、別途浮きや錘が装着されていても良いし、端部が加工され、浮き室、錘室が形成されていても良いものとする。
【００１２】
コレクタは、従来採用されているものであれば特に限定されないが、再利用可能なエラストマー製の円盤型コレクタが好適である。扁平な（高さの低い）円錐としてもよい。この他、ソロバン玉型のようなものを採用すれば、後述の天地返しによっても異方性が生じない。
【００１３】
重心と浮力の作用点をずらす方法は、棒体とコレクタその他の構成要素の組合せで適宜設定できる。例えば、一端を重くした棒体に、水または海水より比重の軽いコレクタを複数挿通するようにしてもよいし、棒体を水または海水の比重と略同じとし、水または海水より比重の大きなコレクタを棒体の半分に、水または海水より比重の小さなコレクタを棒体の残り半分に挿通するようにしても良い。すなわち、棒体およびコレクタの比重や挿通位置、また、棒体の重心や空気室等の構成要素の有無により適宜設定することができる。また、後述するように浮きや錘を備えることにより設計することもできる。
【００１４】
鉛直方向に自立するとは、水槽底面から起立していても、水面から下垂していても、いずれも含むものとする。
【００１５】
請求項２に記載の垂下連は、請求項１に記載の垂下連において、棒体を一端に重心が偏在した密閉中空管体とすることにより、鉛直方向に自立するようにしたことを特徴とする。
【００１６】
すなわち、請求項２にかかる発明は、棒体自身が自立し、簡便な構成の垂下連を提供することができる。なお、複数のコレクタを挿通した後の垂下連として自立する関係とする。すなわち、コレクタの比重が水または海水より大きな場合は、中空管体の空気室の容量を相応に大きくし、反対にコレクタの比重が水または海水より小さな場合は、管体の一端の重さを相応に大きくする。
【００１７】
請求項３に記載の垂下連は、請求項２に記載の垂下連において、棒体を密閉中空管体として管内部を移動する錘体を備え、鉛直方向に自立するようにしたことを特徴とする。
【００１８】
すなわち、請求項３にかかる発明は、水槽中の位置がえを容易にするとともに簡便に天地返しが可能となり、コレクタ全面（上下面）への均一な幼生の付着が実現可能となる。対称性を保つため、コレクタも上下対称な外形を有することが好ましい。
【００１９】
錘体は、管体内径より錘体外形を若干小さくした柱体として空気交換（錘体移動）を円滑にするようにすることができる。また、略同径の柱体として中心に孔をあけて空気の通り道を形成するようにしても良い。錘体は柱体に限定されず、例えば、多数の粒状体により構成されていても良い。
【００２０】
請求項４に記載の垂下連は、請求項１に記載の垂下連において、棒体の一端に浮力体を備えることにより、鉛直方向に自立するようにしたことを特徴とする。
【００２１】
すなわち、請求項４にかかる発明は、垂下連を簡便な構成で自立させることができる。なお、浮力体の形状は特に限定されず、例えば、発砲スチロール製の球体や円柱体として中途まで穴をあけ、ここに棒体端部を嵌め込む態様を挙げることができる。
【００２２】
請求項５に記載の垂下連は、請求項４に記載の垂下連において、浮力体が着脱可能であり、棒体のいずれの端部にも装着可能としたことを特徴とする。
【００２３】
すなわち、請求項５にかかる発明は、水槽中の位置がえを容易にするとともに簡便に天地返しが可能となり、コレクタ全面（上下面）への均一な幼生の付着が実現可能となる。なお、浮力体の形状は特に限定されず、着脱の態様は、棒体への抜き差しである他、適宜、フックその他の係止体を設けて、係止部により棒体と浮力体とを結合するようにしても良い。適宜チェーンその他の紐体が介在する態様としてもよい。
【００２４】
請求項６に記載の垂下連は、請求項１に記載の垂下連において、棒体を両端が開放された水または海水より比重の大きな中空管体として管内部を移動する錘体を備え、コレクタを水または海水より比重の小さな素材により形成し、鉛直方向に自立するようにしたことを特徴とする。
【００２５】
すなわち、請求項６にかかる発明は、垂下連を簡便な構成で自立させることができる。なお、棒体は両端が開放された筒形状であるので、内部の水または海水が排水されるのにともなって錘体も速やかに移動する。なお、中空管内側の両端には、適宜、錘体の抜け落ちを防止する係止部ないし係止体を備えるようにする。なお、コレクタ間をスペーサで離間する場合は、スペーサの比重を考慮してコレクタ数または錘体の重さを調整し、浮力および重力調整をおこなう。
【発明の効果】
【００２６】
本発明によれば、採苗工程において水槽中で簡便な位置がえを可能とする作業性の良い垂下連を提供することができる（請求項１）。また、棒体自身が自立し、簡便な構成の垂下連を提供することができる（請求項２）。また、水槽中の位置がえを容易にするとともに簡便に天地返しが可能となり、コレクタ全面への均一な幼生の付着が実現可能となる（請求項３，５）。また、垂下連を簡便な構成で自立させることができる（請求項４）。
【図面の簡単な説明】
【００２７】
【図１】本発明の垂下連の一構成例を示した説明図および断面図である
【図２】本発明の垂下連の他の構成例を示した説明図および断面図である
【図３】本発明の垂下連の他の構成例を示した説明図および断面図である
【図４】本発明の垂下連の他の構成例を示した説明図および断面図である
【発明を実施するための形態】
【００２８】
以下、本発明の実施例を参照しながら詳細に説明する。ここでは、岩牡蠣の幼生養殖の際、特に採苗工程で使用する態様を説明する。
図１は、本発明の垂下連の一構成例を示した説明図および断面図である。図示たように、垂下連１００は、棒体１０１と、錘１０２と、浮き１０３と、コレクタ１０４と、を主要な構成としている。なお、説明の便宜上、各構成部の大きさ、比率、個数等は、適宜変更して描画している。
【００２９】
棒体１０１は、比重が海水より若干大きな中空円筒であり、上下にピン孔１１１があけてあり、ピン１１２により錘１０２と浮き１０３のストッパとして機能させている。
【００３０】
錘１０２は、棒体１０１の内径と略同形の円柱錘であり、棒体１０１の内部を移動可能としている。また、錘１０２の中心には空気の通り道として孔があけてあり、円滑な錘１０２の移動を可能としている。
【００３１】
浮き１０３は、発砲スチロール製の円柱形であり海水より比重が小さく、垂下連１００を鉛直方向に起立させる。本実施例では、各構成の比重を考慮し、棒体１０１下端が水槽底面に着き、浮き１０３により垂下連１００が横倒しや斜めとならず起立する浮力関係としている。また、浮き１０３には、係止孔１３１があけてあり、ピン孔１１１ともに、ピン１１２により棒体１０１に固定される。
【００３２】
コレクタ１０４は、比重が海水より若干大きなエラストマー製の円盤であり、中央の挿通孔により棒体１０１に挿通される。表面には、同心円上および／または径方向に突条および／または凹条が設けてあり、幼生が付着しやすいようにしている。コレクタ１０４は円筒スペーサ１４１を介して所定間隔を隔て棒体１０１に複数挿通される。なお、円筒スペーサ１４１の長さを適宜変えることにより、垂下連１００一本中のコレクタ１０４の挿通数を調整する。
【００３３】
垂下連１００の構成は以上であり、採苗用水槽中で岩牡蠣の幼生が所定大きさとなったとき所定数配置する。垂下連１００は、海水中でそれぞれが鉛直方向に自立し、適時配置場所をかえることができる。従来の垂下連では、水槽の縁に渡した竿から引き上げ（場合により紐を解き）、他の場所、他の竿に配置し直す作業がともなうところ、垂下連１００は水槽中で自立しているので、水槽に手を差し込み、簡便に位置がえが可能となる。水槽中には底面からエアレーションされたり、別途エアレーション装置が水槽中に投入されたりして、水流等が必ずしも個々の垂下連１００に一様とならないが、配置変えを簡便におこなえるので、コレクタ１０４への幼生の一様付着が実現できる。
【００３４】
また、垂下連１００は、容易に天地返しをおこなうことができる。天地返しに際しては、ピン１１２により浮き１０３を外し、棒体１０１をひっくり返した後、浮き１０３を他端に装着し直す。錘１０２は自動的に棒体１０１の他端に移動する。その後、所定位置に垂下連１００を配置し、天地返し作業を終える。従来では天地返しが事実上困難であったところ、垂下連１００ではこれを簡便におこなえるので、コレクタ１０４の両面に幼生を一様に付着させることができる。
【００３５】
図２は、本発明の別の構成例を示した説明図および断面図である。図示したように、垂下連２００は、棒体２０１と、錘体２０２と、コレクタ２０４と、を主要な構成としている。
【００３６】
棒体２０１は、両端部が円錐形に形成された円錐部２０３を有した密閉型の中空円筒である。円筒内部には、粒状の多数の錘２０２が封入され、円筒内部を自由に移動する。なお、円錐部２０３は、棒体２０１の両端を構成するが、ねじ切りされており取り外せるようにしている。使用の態様により、円錐部２０３は、容量の異なる複数の型を備え、浮力調整をおこなえるようにしても良い。
【００３７】
円錐部２０３および棒体２０１の中空部分で浮力を稼ぎ、錘２０２が下端に位置するので垂下連２００は海水中で起立する。なお、設計においては、各構成の比重を考慮し、棒体２０１下端が水槽底面に着き、倒伏しない浮力関係とする。
【００３８】
コレクタ２０４は、比重が海水より若干大きなエラストマー製のそろばん玉形状であり、中央の挿通孔により棒体２０１に挿通される。表面には、同心円上および／または径方向に突条および／または凹条が設けてあり、幼生が付着しやすいように構成されている。また、コレクタ２０４は円筒スペーサ２４１を介して所定間隔を隔て棒体２０１に複数挿通される。なお、円筒スペーサ１４１の長さを適宜変えることにより、垂下連２００一本中のコレクタ２０４の挿通数を調整する。
【００３９】
垂下連２００の構成は以上であり、採苗用水槽中で岩牡蠣の幼生が所定大きさとなったとき、所定数配置する。垂下連２００は、海水中でそれぞれが鉛直方向に自立し、適時配置場所をかえることができる。垂下連２００は、垂下連１００のようにピン１１２の抜き差しを不要とし、より簡便に天地返しをおこなうことができる。また、垂下連２００は、棒体２０１の両面とも円錐部２０３により底面が大きくなっているため、安定設置が可能となる。
【００４０】
なお、いずれの垂下連も作業性が良好であれば特にその大きさは限定されないが、例えば、棒体は長さ７０ｃｍ、直径２．５ｃｍ、コレクタは直径１５ｃｍで配置間隔は７ｃｍとすることができる。
【００４１】
本発明は、以上の実施例に限定されない。例えば、天地返しをおこなわないのであれば、図３に示したように、海水より比重の大きな中実棒体として、浮きも上端に固定したままにすることができる。また、比重の関係により、適宜錘を下端に固着していてもよい。このとき、コレクタは、扁平円錐形状や扁平円錐の側周面形状（底面がえぐられた形状）のものを採用することができる。
【００４２】
また、コレクタの比重が海水より大きな場合は、図４に示したように、中空管内部に錘を備えるだけで垂下連を構成し、天地返しもおこなえる構成とすることもできる。図示した例では、コレクタが非対称であるが、図１の円板形状や図２のそろばん玉形状のコレクタを用いることもでき、また、天地返しの時間を異ならせることにより幼生の一様付着を実現することができる。
【００４３】
この他、使用の態様により、錘がなくとも、浮きだけで自立姿勢および天地返しを可能に構成することができる。
【００４４】
なお、本実施例では、垂下連は起立姿勢で海水中に沈降する態様を説明したが、起立姿勢で水面に頭を出す態様とすることもできる。
【産業上の利用可能性】
【００４５】
本発明によれば、浮力により水中の垂下連の重さが小さくなり、特に、水槽中の配置がえを速やかにかつ簡便におこなうことができる。また、天地返しも簡便におこなうことができるので、コレクタへの幼生の一様付着が可能となる。
【符号の説明】
【００４６】
１００  垂下連
１０１  棒体
１０２  錘
１０３  浮き
１０４  コレクタ
１１１  ピン孔
１１２  ピン
１３１  係止孔
１４１  円筒スペーサ
２００  垂下連
２０１  棒体
２０２  錘体
２０３  円錐部
２０４  コレクタ
２４１  円筒スペーサ
【図１】
2014082982.tif 000003
【図２】
2014082982.tif 000004
【図３】
2014082982.tif 000005
【図４】
2014082982.tif 000006